(57)【特許請求の範囲】
【請求項１】
底部と、この底部の縁部より立設した壁部と、この壁部の先端部に沿うと共に、前記先端部より外方に張り出し、前記底部と平行な張り出し部とを有した凹部状の個別容器と、
隣接する前記個別容器は前記張り出し部で接続されると共に、隣接する前記張り出し部の中途には分離用の凹所を備え、
この分離用の凹所は、隣接する一方の前記個別容器の前記張り出し部から下に向かう第１の壁と、隣接する他方の前記個別容器の前記張り出し部から下に向かう第２の壁と、この第２の壁と前記第１の壁とを接続する底とを有し、
前記個別容器の開口部を前記個別容器毎に塞ぐと共に、前記張り出し部に接合された複数の第１の蓋体と、
前記第１の蓋体を覆い、前記張り出し部の外周縁部に係止する第２の蓋体と、
この第２の蓋体には、前記分離用の凹所内に侵入して前記第１の壁と前記第２の壁に係止する凸部を有している
ことを特徴とする収納容器。
【発明の詳細な説明】
【０００１】
本発明は、収納容器に係り、特に、複数の蓋体を有する収納容器に関する。
【０００２】
【従来の技術】
本件出願人は、先に、複数の個別容器の中から、個別容器を容易に分離でき、残された個別容器は密封状態を保持することができる収納容器を提案した。
この収納容器にあっては、密封状態を解除した個別容器の内容物を使い切ってしまえば問題ない。
【０００３】
【発明が解決しようとする課題】
しかしながら、密封状態を解除した個別容器に内容物が残存する場合、該個別容器には、その開口部を覆う蓋体がないため、使用勝手が良くないという問題点が生じた。
本発明は、上述した問題点を除去するようにした収納容器を提供するものである。
【０００４】
【課題を解決するための手段】
上記目的を達成するために、請求項１記載の収納容器は、底部と、この底部の縁部より立設した壁部と、この壁部の先端部に沿うと共に、前記先端部より外方に張り出し、前記底部と平行な張り出し部とを有した凹部状の個別容器と、隣接する前記個別容器は前記張り出し部で接続されると共に、隣接する前記張り出し部の中途には分離用の凹所を備え、この分離用の凹所は、隣接する一方の前記個別容器の前記張り出し部から下に向かう第１の壁と、隣接する他方の前記個別容器の前記張り出し部から下に向かう第２の壁と、この第２の壁と前記第１の壁とを接続する底とを有し、前記個別容器の開口部を前記個別容器毎に塞ぐと共に、前記張り出し部に接合された複数の第１の蓋体と、前記第１の蓋体を覆い、前記張り出し部の外周縁部に係止する第２の蓋体と、この第２の蓋体には、前記分離用の凹所内に侵入して前記第１の壁と前記第２の壁に係止する凸部を有しているものである。
【０００７】
【実施例】
本発明の一実施例の収納容器を図面を参照して説明する。
先行技術を示す図１乃至図６において、１は収納容器で、収納容器１は、被収納物２、例えば、食材（具体的には、わさび漬）を収納する凹部状の個別容器11を複数（本実施例では、例えば、２個）設けている。
【０００８】
個別容器11は、略三角形形状の底部11ａと、この底部11ａの縁部より立設した壁部11ｂと、この壁部11ｂの先端部に沿うと共に、前記先端部より外方に張り出し、底部11ａと平行な張り出し部11ｃとを有した凹部形状で被収納物２を収納するものである。
そして、収納容器１は、図１乃至図６に示すように、隣接する個別容器11を張り出し部11ｃで接続するようにしている。
なお、個別容器11の材質としては、例えば、ＰＥＴ（ポリエチレンテレフタレ−ト）、ポリプロピレン、ポリエステル、ナイロンの単体または２層以上の多層材料に最内層を更に積層したものである。
【０００９】
３は、個別容器11の開口部を個別容器11毎に塞ぐと共に、張り出し部11ｃに接合（例えば、ヒ−トシ−ル）された複数の第１の蓋体で、第１の蓋体３は、例えば、ＰＥＴ（ポリエチレンテレフタレ−ト）、延伸ポリエステル、延伸ナイロン、延伸ポリプロピレン及び個別容器11とヒ−トシ−ル可能な樹脂フィルムとの組み合わせフィルム（例えば、ト−セロ製商品名ＣＭＰＳフィルム）で形成されている。
４は、張り出し部11ｃの外周縁部Ｅに係止して、複数の第１の蓋体３を覆う第２の蓋体である。
【００１０】
従って、この収納容器１（図１乃至図６）によれば、複数の第１の蓋体３は個別容器11毎に塞がれているため、第２の蓋体４を開け、複数の第１の蓋体３の内、食する個別容器11に対応する部分の第１の蓋体３を容易に開けて被収納物２を個別容器11から取り出すことができ（図４参照）、しかも、残された個別容器11は第１の蓋体３で密封状態を保持することができる（図５及び図６参照）。
【００１１】
なお、上述の先行技術を示す実施例（図１乃至図６）においては、複数の第１の蓋体３、３で、個別容器11の開口部を個別容器11毎に塞いだが、次に示す先行技術は、図７及び図８に示すように、単一の第１の蓋体３で、個別容器11の開口部を塞ぐと共に、張り出し部11ｃに接合し、第１の蓋体３に個別容器11毎に対応する部分に切込Ｋを入れても良い。図７及び図８に示す収納容器１にあっては、図１乃至図６記載の収納容器１と同一部分に同一符号を付して一部説明を省略している。
【００１２】
この実施例の収納容器１（図７及び図８）によれば、第２の蓋体４を開け、第１の蓋体３の切込Ｋに沿って切断すれば、第１の蓋体３の取り出したい個別容器11に対応する部分を容易に開けて被収納物２を個別容器11から取り出すことができ、しかも、残された個別容器11は第１の蓋体３で密封状態を保持することができる。
【００１３】
なお、上述の実施例（図１乃至図８）においては、個別容器11を切断して分離しても、分離した個別容器11に対応する蓋がないが、次に示す本発明の一実施例においては、分離した個別容器11に対応する蓋を設けたものである。なお、この実施例の収納容器１（図９乃至図１４）にあっては、図１乃至図６記載の収納容器１と同一部分に同一符号を付して一部説明を省略している。
【００１４】
即ち、隣接する個別容器11は張り出し部11ｃで接続されると共に、隣接する張り出し部11ｃの中途には分離用の凹所Ｈを備えている。この分離用の凹所Ｈは、図12に示すように、隣接する一方の個別容器11の張り出し部11ｃから下に向かう第１の壁Ｈ1 と、隣接する他方の個別容器11の張り出し部11ｃから下に向かう第２の壁Ｈ2 と、この第２の壁Ｈ2 と第１の壁Ｈ1 とを接続する底Ｈ3 とを有している。
そして、個別容器11の開口部は、複数の第１の蓋体３、３により個別容器11毎に塞ぐと共に、張り出し部11ｃに、例えば、ヒ−トシ−ルにより接合されている。
【００１５】
４は、第１の蓋体３を覆い、張り出し部11ｃの外周縁部Ｅに係止する第２の蓋体である。この第２の蓋体４には、分離用の凹所Ｈ内に侵入して第１の壁Ｈ1 と第２の壁Ｈ2 に係止する凸部Ｔを有している。
【００１６】
従って、この実施例の収納容器１（図９乃至図１４）によれば、複数の第１の蓋体３、３は個別容器11、11毎に塞がれているため、第２の蓋体４を開け、複数の第１の蓋体３、３の内、被収納物２を取り出したい個別容器11に対応する部分の第１の蓋体３を容易に開けて被収納物２を個別容器11から取り出すことができ、しかも、取り出さないで残された個別容器11は第１の蓋体３で密封状態を保持することができ、更に、取り出さないで残された個別容器11と、この個別容器11に対応する第１の蓋体３の部分及び第２の蓋体４（分離用の凹所Ｈと凸部Ｔとの係止部分）を図示しないはさみ等の切断用具で切断して分離することができると共に、分離した個別容器11に対応して蓋を有するため、使用勝手を向上した収納容器１を得ることができる。
【００１７】
【発明の効果】
請求項１記載の収納容器によれば、複数の第１の蓋体は個別容器毎に塞がれているため、第２の蓋体を開け、複数の第１の蓋体の内、被収納物を取り出したい個別容器に対応する部分の第１の蓋体を容易に開けて被収納物を個別容器から取り出すことができ、
しかも、取り出さないで残された個別容器は第１の蓋体で密封状態を保持することができ、
更に、取り出さないで残された個別容器と、この個別容器に対応する第１の蓋体の部分及び第２の蓋体を切断して分離することができると共に、分離した個別容器に対応して蓋を有するため、使用勝手を向上した収納容器を得ることができる。
【図面の簡単な説明】
【図１】  図１は、先行技術の一実施例の収納容器を分解して示す概略的分解斜視図である。
【図２】  図２は、図１の収納容器の使用状態の概略的断面図である。
【図３】  図３は、図２の一部を拡大して示す概略的一部拡大断面図である。
【図４】  図４は、図２の収納容器から第１の蓋体を取り外す状態の概略的斜視図である。
【図５】  図５は、図２の収納容器から第１の蓋体を取り外すと共に、個別容器から被収納物の一部を取り出し、第２の蓋体をした状態の収納容器の概略的断面図である。
【図６】  図６は、図５の一部を拡大して示す概略的一部拡大断面図である。
【図７】  図７は、図１の先行技術の収納容器と異なる収納容器を分解して示す概略的分解斜視図である。
【図８】  図８は、図７の収納容器の使用状態を示す概略的斜視図である。
【図９】  図９は、本発明の一実施例の収納容器を示す概略的斜視図である。
【図１０】  図１０は、図９の概略的断面図である。
【図１１】  図１１は、図９の収納容器を分解して示す概略的分解斜視図である。
【図１２】  図１２は、図１１の概略的断面図である。
【図１３】  図１３は、図９の収納容器を個別容器に分離した状態を示す概略的斜視図である。
【図１４】  図１４は、図１３の概略的断面図である。
【図１】
0004384375.tif 000002
【図２】
0004384375.tif 000003
【図３】
0004384375.tif 000004
【図４】
0004384375.tif 000005
【図５】
0004384375.tif 000006
【図６】
0004384375.tif 000007
【図７】
0004384375.tif 000008
【図８】
0004384375.tif 000009
【図９】
0004384375.tif 000010
【図１０】
0004384375.tif 000011
【図１１】
0004384375.tif 000012
【図１２】
0004384375.tif 000013
【図１３】
0004384375.tif 000014
【図１４】
0004384375.tif 000015